(57)【要約】【課題】無線通信による電磁波の影響を受けない検出を行う。【解決手段】アナログ量を検出し、検出データを測定装置２に無線送信する検出装置１は、アナログ量をＡ／Ｄ変換するＡＤコンバータ１５と、Ａ／Ｄ変換された変換後デジタルデータ１２２を逐次蓄積する記憶部１２と、蓄積された変換後デジタルデータ１２２を測定装置２に無線送信する無線通信部１６と、無線通信部１６が無線送信を実行中は、記憶部１２への変換後デジタルデータ１２２の蓄積を禁止する制御部１１とを備える。【選択図】図２
2014139548.tif 000002
【特許請求の範囲】
【請求項１】
アナログ量を検出し、検出データを測定装置に無線送信する検出装置であって、
前記アナログ量をＡ／Ｄ変換するＡＤコンバータと、
前記Ａ／Ｄ変換された変換後デジタルデータを逐次蓄積する記憶部と、
蓄積された前記変換後デジタルデータを前記測定装置に無線送信する無線通信部と、
前記無線通信部が前記無線送信を実行中は、前記記憶部への前記変換後デジタルデータの蓄積を禁止する制御部と
を備えることを特徴とする検出装置。
【請求項２】
時計部を備え、
前記アナログ量を検出時の時刻を前記時計部から取得し、
当該アナログ量がＡ／Ｄ変換された前記変換後デジタルデータに、前記検出時の時刻を関連付けて、前記記憶部に蓄積させ、
前記無線通信部が前記無線送信を実行していた時間帯の時刻が関連付けられた前記変換後デジタルデータを、前記記憶部から削除することを特徴とする請求項１に記載された検出装置。
【請求項３】
前記記憶部には、設定情報が記憶され、
前記設定情報に基づき、検出されたアナログ量の波形を調整する信号処理部をさらに備えることを特徴とする請求項１または請求項２に記載された検出装置。
【請求項４】
前記ＡＤコンバータは、前記設定情報に基づき、前記調整された調整後アナログ量をＡ／Ｄ変換することを特徴とする請求項３に記載された検出装置。
【請求項５】
前記設定情報は、外部から前記無線通信部が無線受信した受信データから得られることを特徴とする請求項３または請求項４に記載された検出装置。
【請求項６】
前記制御部は、前記無線通信部が前記無線送信を実行中に検出された前記アナログ量に対応する前記変換後デジタルデータを破棄することを特徴とする請求項１ないし請求項５の何れか一項に記載された検出装置。
【請求項７】
前記制御部は、前記無線通信部が無線受信を実行中は、前記記憶部への前記変換後デジタルデータの蓄積を禁止することを特徴とする請求項１ないし請求項６の何れか一項に記載された検出装置。
【請求項８】
前記制御部は、前記無線通信部が、前記測定装置から測定開始のトリガ信号を無線受信したとき、当該無線受信の終了後から、前記記憶部への前記変換後デジタルデータの蓄積を許可することを特徴とする請求項７に記載された検出装置。
【請求項９】
アナログ量を検出し、検出データを無線送信する検出装置と、前記検出データを受信し、測定結果を表示する測定装置とを備える測定システムであって、
前記検出装置は、
前記アナログ量をＡ／Ｄ変換するＡＤコンバータと、
前記Ａ／Ｄ変換された変換後デジタルデータを逐次蓄積する記憶部と、
蓄積された前記変換後デジタルデータを前記測定装置に無線送信する検出側無線通信部と、
前記無線通信部が前記無線送信を実行中は、前記記憶部への前記変換後デジタルデータの蓄積を禁止する制御部とを備え、
前記測定装置は、
無線受信して前記変換後デジタルデータを取得する測定側無線通信部と、
前記変換後デジタルデータを信号処理する信号処理部と、
信号処理後のデータを測定結果として表示する測定表示部と
を備えることを特徴とする測定システム。
【請求項１０】
前記制御部は、
前記測定側無線通信部から無線受信する受信タイミングを決定し、
前記検出側無線通信部に、前記受信タイミングの情報を前記測定装置へ無線送信させ、
前記受信タイミングが到来した時に、前記記憶部への前記変換後デジタルデータの蓄積を禁止することを特徴とする請求項９に記載された測定システム。
【請求項１１】
前記制御部は、
前記検出側無線通信部と前記測定側無線通信部との間で無線送受信する第１の時間帯を決定し、
前回決定した第２の時間帯が到来した時に、前記検出側無線通信部に、前記第１の時間帯の情報および前記変換後デジタルデータを、前記測定装置へ無線送信させ、
前記第１の時間帯が到来した時に、前記記憶部への前記変換後デジタルデータの蓄積を禁止することを特徴とする請求項９に記載された測定システム。
【請求項１２】
紙葉類からアナログ量を検出し、検出データを判別装置に無線送信することによって前記紙葉類の種類を判別する紙葉類鑑別装置であって、
前記紙葉類から判別情報をアナログ量として検出する検出手段と、
前記アナログ量をＡ／Ｄ変換するＡＤコンバータと、
前記Ａ／Ｄ変換された変換後デジタルデータを逐次蓄積する記憶部と、
蓄積された前記変換後デジタルデータを前記判別装置に無線送信する無線通信部と、
前記無線通信部が前記無線送信を実行中は、前記記憶部への前記変換後デジタルデータの蓄積を禁止する制御部と
を備えることを特徴とする紙葉類鑑別装置。
【請求項１３】
前記検出手段は、磁界強度をアナログ量として検出する磁気センサであることを特徴とする請求項１２に記載された紙葉類鑑別装置。
【請求項１４】
紙葉類からアナログ量を検出し、検出データを無線送信する紙葉類鑑別装置と、前記検出データを受信し、紙葉類の判定を行う判別装置と、紙葉類を１枚ずつ前記紙葉類鑑別装置に搬送する搬送部とを備える自動取引装置であって、
前記紙葉類鑑別装置は、
前記紙葉類から判別情報をアナログ量として検出する検出手段と、
前記アナログ量をＡ／Ｄ変換するＡＤコンバータと、
前記Ａ／Ｄ変換された変換後デジタルデータを逐次蓄積する記憶部と、
蓄積された前記変換後デジタルデータを前記判別装置に無線送信する無線通信部と、
直前に搬送された紙葉類から前記磁気センサが磁気記録情報を読み取り後、次の紙葉類が前記磁気センサに搬送されるまでの間に、前記無線通信部に前記無線送信を実行させ、前記無線送信を実行中は、前記記憶部への前記変換後デジタルデータの蓄積を禁止する制御部と
を備えることを特徴とする自動取引装置。
【発明の詳細な説明】
【技術分野】
【０００１】
本発明は、検出装置、測定システム、紙葉類鑑別装置及び自動取引装置に関し、特に、アナログ量を検出し、検出データを測定装置に無線送信する技術に関する。
【背景技術】
【０００２】
従来のプローブ本体（検出装置）は、オシロスコープ（測定装置）と電線（ケーブル）で接続され、検出したアナログ量（アナログ電圧）をそのまま、又は減衰して有線送信していた。しかしながら、測定点のプローブ本体からオシロスコープまでの電線の配線が複雑な場合、特に多チャンネルのオシロスコープでは複雑に他の電線と絡み合い、使い勝手が悪かった。
【０００３】
そこで、特許文献１や特許文献２には、オシロスコープと有線で接続されるのではなく、無線で通信可能に接続されるプローブが記載されている。この無線通信機能を有するプローブは、検出した検出信号を増幅し（増幅部）、デジタル信号に変換し（ＡＤ変換部）、信号波形データとして無線送信していた（送信部）。
【先行技術文献】
【特許文献】
【０００４】
【特許文献１】特開平８−２９２２１１号公報
【特許文献２】特開平９−２９７１５５号公報
【発明の概要】
【発明が解決しようとする課題】
【０００５】
しかしながら、従来の無線通信機能を有するプローブ（検出装置）は、検出／ＡＤ変換と無線送信とを同時に行っていた。このため、無線送信する際にアンテナで発生する強力な電磁波の影響を受けて、プローブの端子（検出端子）で検出される検出信号（検出アナログ量）が変動した。そして、無線送信が逐次行われるため、検出アナログ量は常に変動するという問題があった。
【０００６】
本発明は、以上のような問題を解決するためになされたものであり、無線通信による電磁波の影響を受けない検出を行う検出装置、測定システム、紙葉類鑑別装置及び自動取引装置を提供することを課題とする。
【課題を解決するための手段】
【０００７】
前記課題を解決するために、本発明の検出装置は、アナログ量を検出し、検出データを測定装置（例えば、オシロスコープ本体、主制御部４９）に無線送信する検出装置（例えば、プローブ、紙葉類鑑別装置４８）であって、前記アナログ量をＡ／Ｄ変換するＡＤコンバータと、前記Ａ／Ｄ変換された変換後デジタルデータを逐次蓄積する記憶部と、蓄積された前記変換後デジタルデータを前記測定装置に無線送信する無線通信部と、前記無線通信部が前記無線送信を実行中は、前記記憶部への前記変換後デジタルデータの蓄積を禁止する制御部とを備える構成とした。
【発明の効果】
【０００８】
本発明によれば、無線通信を行うにもかかわらず、正しいデジタルデータを測定装置に提供することができる。
【図面の簡単な説明】
【０００９】
【図１】本発明に係る測定システムの全体構成図である。
【図２】第１の実施形態に係る検出装置の構成を示すブロック図である。
【図３】第１の実施形態に係る測定装置の構成を示すブロック図である。
【図４】第１の実施形態に係る検出装置の検出値蓄積処理のフローチャートである。
【図５】第１の実施形態に係る検出装置のデジタルデータ送信処理動作のフローチャートである。
【図６】第２の実施形態に係る検出装置の構成を示すブロック図である。
【図７】第２の実施形態に係る測定装置の構成を示すブロック図である。
【図８】第３の実施形態に係る検出装置を備える自動取引装置の構成を示すブロック図である。
【発明を実施するための形態】
【００１０】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１１】
≪第１の実施形態≫
図１に示すように、測定システム１００は、被測定物の電圧を検出する検出装置１と、検出結果を表示する測定装置２とを備える。検出装置１と測定装置２とは電波３を介して無線通信を行う。
この電波３を用いて行われる無線通信（無線送信及び無線受信）は、いかなる無線通信方式であってもかまわない。例えば、Ｂｌｕｅｔｏｏｔｈ（登録商標）、Ｗｉ−Ｆｉ（登録商標）、ＺｉｇＢｅｅ（登録商標）、無線ＬＡＮ等である。
この第１の実施形態についての説明は、すでに検出装置１と測定装置２とが互いに電波３を介して無線で通信可能に接続されている状態である。
また、検出装置１と測定装置２とが、ACK/NACKのメッセージ送信を定期的に行う、すなわち間欠受信を行う無線通信方式を用いる場合については、後述する。
【００１２】
［検出装置１］
図２を用いて、検出装置１の構成について説明する。
検出装置１は、制御部１１と、記憶部１２と、検出端子１３と、信号処理部１４と、ＡＤコンバータ１５と、無線通信部１６と、アンテナ１７とを備える。
【００１３】
（制御部１１）
制御部１１は、検出装置１の全体を制御する構成部であり、例えばＣＰＵ（Central Processing Unit）等で構成され、ＣＰＵが記憶部１２に格納されるプログラム（不図示）を実行することによって検出装置１の各機能が実現される。この制御部１１は、無線通信部１６を制御して、接続先（測定装置２）とのデータの送受信を実行させる通信制御機能を有する。
また、第１の実施形態において、制御部１１は、検出値蓄積処理（Ｓ１００）及びデジタルデータ送信処理（Ｓ２００）を実行して、信号処理部１４、ＡＤコンバータ１５及び無線通信部１６を制御する。制御部１１が実行する制御については詳細を後記する。
【００１４】
（記憶部１２）
記憶部１２は、データやプログラムを記憶する構成部であり、例えば、ＲＡＭ（Random Access Memory）等の記憶手段である。この記憶部１２には、設定情報１２１と変換後デジタルデータ１２２とが記憶される。
設定情報１２１は、信号処理部１４、ＡＤコンバータ１５、及び無線通信部１６のそれぞれが機能を実現するために用いる情報である。例えば、ゲイン（利得）、サンプリング周波数、カットオフ周波数、オフセット、変調方式等である。
変換後デジタルデータ１２２は、後記するＡＤコンバータ１５によりＡ／Ｄ変換されたデジタルデータである。なお、変換後デジタルデータ１２２は、ＦＩＦＯ（First In First Out）メモリにより逐次蓄積される。
【００１５】
（検出端子１３）
検出端子１３は、被測定物に接触することでその接触箇所からアナログ信号（アナログ量）を取得する。本実施形態において検出端子１３は、プローブ端子とＧＮＤ端子（図１）とで構成される。
【００１６】
（信号処理部１４）
信号処理部１４は、アナログ信号を信号処理する。この信号処理部１４は、記憶部１２から設定情報１２１を取得して機能を実現する。
第１の実施形態における信号処理部１４は、少なくとも、アナログ信号を増幅するアンプと、ノイズを低減するローパスフィルタ（以下、ＬＰＦという。）とで構成され、減衰器が備えられることもある。この信号処理部１４により、アナログ信号は、設定情報１２１に基づき増幅され、さらに、サンプリング周波数に応じて、ＬＰＦのカットオフ周波数が特定され、折り返し歪みが生じない帯域に制限される。
【００１７】
（ＡＤコンバータ１５）
ＡＤコンバータ１５は、アナログ信号をデジタルデータにＡ／Ｄ変換し、記憶部１２に蓄積させる。これにより、Ａ／Ｄ変換されたデジタルデータが変換後デジタルデータ１２２として記憶部１２に逐次蓄積される。このＡＤコンバータ１５は、設定情報１２１（サンプリング周波数）に基づいて、制御部１１により制御される。
【００１８】
（無線通信部１６）
無線通信部１６は、アンテナ１７を介して、無線通信（無線送信、無線受信）を行う。この無線通信部１６は、変調機能と復調機能と無線送受信機能とを有し、記憶部１２から設定情報１２１を取得して各機能を実現する。
無線送信する場合、無線通信部１６は、変調機能でデジタルデータを電波３に変調し、無線送受信機能でアンテナ１７から電波３を送信する。
一方、無線受信する場合、無線通信部１６は、無線送受信機能でアンテナ１７から電波３を受信し、復調機能で電波３をデジタルデータに復調する。
この無線通信部１６が無線通信をしている間、アンテナ１７は電磁波を発生する。
【００１９】
（制御部１１の制御機能）
ここで、制御部１１が実行する制御機能について説明する。
制御部１１は、信号処理部１４、ＡＤコンバータ１５及び無線通信部１６を制御し、前記した各機能を実行させる。
さらに、制御部１１は、測定データ送信機能と、通信時蓄積制御機能とを有する。
【００２０】
（測定データ送信機能）
制御部１１が有する測定データ送信機能は、記憶部１２に蓄積された変換後デジタルデータ１２２を無線通信部１６に取得させる機能である。この測定データ送信機能が実現されることで、無線通信部１６は無線送信を開始する。
この測定データ送信機能を実現する制御部１１は、記憶部１２に蓄積された変換後デジタルデータ１２２のデータ量を管理する。そして、記憶部１２に蓄積された変換後デジタルデータ１２２のデータ量が所定量以上となったことを、制御部１１（測定データ送信機能）が検知した時が、無線通信部１６に記憶部１２から変換後デジタルデータ１２２の全部又は一部を一括して取得させるタイミングである。この変換後デジタルデータ１２２の一部取得は、間引きを意味する。
この変換後デジタルデータ１２２を取得させるタイミングは、所定の周期のタイミングであってもよい。
【００２１】
また、無線通信部１６に取得させる変換後デジタルデータ１２２のデータ量は、記憶部１２に蓄積された変換後デジタルデータ１２２の全てである必要はない。例えば、１回の無線送信で送信するデータ量を予め決めておいてもよいし、予め決められた期間（例えば１分間）や時間帯（例えば0:00〜0:01）のデータ量であってもよい。
また、測定データ送信機能は、変換後デジタルデータ１２２の全部又は一部を無線通信部１６に取得させた後、記憶部１２に蓄積された変換後デジタルデータ１２２を破棄する。
【００２２】
（通信時蓄積制御機能）
制御部１１が有する通信時蓄積制御機能は、無線通信部１６が無線通信をしている間に測定したアナログ信号を、変換後デジタルデータ１２２として記憶部１２に蓄積させない機能である。
例えば、通信時蓄積制御機能は、制御部１１がＡＤコンバータ１５を制御して、ＡＤコンバータ１５にＡ／Ｄ変換処理を実行させない機能、つまり、サンプリングクロックを停止させる機能であってもよいし、ＡＤコンバータ１５がＡ／Ｄ変換処理した変換後デジタルデータ１２２を記憶部１２に蓄積させない機能、つまり、ＦＩＦＯメモリのＩＮ側クロックを停止させる機能であってもよい。
【００２３】
第１の実施形態における通信時蓄積制御機能は、ＡＤコンバータ１５にＡ／Ｄ変換処理を実行させない機能であり、これにより、変換後デジタルデータ１２２が生成されない。そのため、結果的に変換後デジタルデータ１２２として記憶部１２に記憶させないこととなる。また、通信時蓄積制御機能は、ＡＤコンバータ１５によりＡ／Ｄ変換された変換後デジタルデータ１２２を、記憶部１２に記憶させることなく、そのまま破棄する機能であってもよい。
【００２４】
また、通信時蓄積制御機能は、ＡＤコンバータ１５ではなく、信号処理部１４を制御してもよい。例えば、信号処理部１４を制御して、検出端子１３から入力されるアナログ信号に対して信号処理を実行させない機能であってもよく、これにより、アナログ信号からデジタルデータが生成されず、結果的に変換後デジタルデータ１２２を記憶部１２に記憶させないこととなる。
【００２５】
また、信号処理部１４が設定情報１２１に基づき周期的に測定を行う場合、通信時蓄積制御機能は、その周期に合わせて、測定しない期間に無線通信部１６に無線送信を許可する機能であってもよい。これにより、無線通信部１６が無線送信している間は測定しない期間であるため、結果的に変換後デジタルデータ１２２を記憶部１２に記憶させないこととなる。
【００２６】
［測定装置２］
図３を用いて、測定装置２の構成について説明する。
測定装置２は、制御部２１と、記憶部２２と、無線通信部２３と、ＤＡコンバータ２４と、信号処理部２５と、測定表示部２６と、アンテナ２７とを備える。
【００２７】
制御部２１は、測定装置２の全体を制御する構成部である。例えばＣＰＵ等で構成され、ＣＰＵが記憶部２２に格納されるプログラム（不図示）を展開し実行することによって測定装置２の各機能が実現される。また、制御部２１は、無線通信部２３を制御して、接続先（検出装置１）とのデータの送受信を実行させる通信制御機能を有する。
さらに、制御部２１は、無線通信部２３によって受信されたデータが、変換後デジタルデータ１２２であれば、測定表示部２６に対して表示を開始させるトリガを出力する。
【００２８】
記憶部２２は、データやプログラムを記憶する構成部であり、例えば、ＨＤＤ、ＲＡＭ、光ディスク等の記憶手段である。
無線通信部２３は、無線通信部１６（図２）と同様に、アンテナ２７を介して、無線通信（無線送信、無線受信）を行う。
ＤＡコンバータ２４は、無線通信部２３が一括して受信した変換後デジタルデータ１２２の全部又は一部を、所定のスイープ時間でアナログデータにＤ／Ａ変換する。
信号処理部２５は、記憶部２２に記憶された設定情報２２１に基づき、Ｄ／Ａ変換後のアナログ信号を所定のカットオフ周波数のＬＰＦ等で信号処理する。
測定表示部２６は、スイープされたアナログデータを二次元のグラフにして画面表示する。
【００２９】
（制御部１１が実行する制御）
検出装置１の制御部１１が実行する、検出値蓄積処理（Ｓ１００）及びデジタルデータ送信処理（Ｓ２００）について、図４及び図５を用いて説明する。
【００３０】
≪検出値蓄積処理Ｓ１００≫
図４を用いて、制御部１１の検出値蓄積処理（Ｓ１００）について説明する。制御部１１は、図示しない電源スイッチの投入によるリセットにより、検出値蓄積処理を実行開始する。以下、信号処理部１４、ＡＤコンバータ１５及び無線通信部１６は制御部１１に制御されて処理を行う。
【００３１】
まず、制御部１１には、被測定物に接触した検出端子１３を介してアナログ信号が入力される。
制御部１１は、信号処理部１４に対して、設定情報１２１に基づき、入力されたアナログ信号を信号処理させる（ステップＳ１０１）。次に、ＡＤコンバータ１５は、信号処理されたアナログ信号を数値化して、デジタルデータにＡ／Ｄ変換する（ステップＳ１０２）。そして、制御部１１は、無線通信部１６が通信中であるか否かを判定する（ステップＳ１０３）。
【００３２】
通信中であれば（ステップＳ１０３，Ｙｅｓ）、制御部１１は、Ａ／Ｄ変換したデジタルデータ（変換後デジタルデータ１２２）を破棄させ（ステップＳ１０４）、検出値蓄積処理を終了する。
一方、通信中でなければ（ステップＳ１０３，Ｎｏ）、制御部１１は、Ａ／Ｄ変換したデジタルデータ（変換後デジタルデータ１２２）を記憶部１２に蓄積させ（ステップＳ１０５）、検出値蓄積処理（Ｓ１００）を終了する。
【００３３】
≪デジタルデータ送信処理Ｓ２００≫
図５を用いて、制御部１１のデジタルデータ送信処理（Ｓ２００）について説明する。
制御部１１は、例えば、変換後デジタルデータ１２２が記憶部１２に蓄積されたタイミングで、記憶部１２に所定量以上の変換後デジタルデータ１２２が蓄積されたか否かを判定する（ステップＳ２０１）。
【００３４】
所定量未満であれば（ステップＳ２０１，Ｎｏ）、制御部１１は、次の変換後デジタルデータ１２２が記憶部１２に蓄積されたタイミングで再びステップＳ２０１の処理を行う。
一方、所定量以上であれば（ステップＳ２０１，Ｙｅｓ）、制御部１１は、無線通信部１６に通信処理を実行開始させ、無線通信部１６を「待機中」の状態から「通信中」の状態に切り替える（ステップＳ２０２）。
【００３５】
以下、制御部１１が無線通信部１６を制御する送信処理について説明する。
制御部１１は、無線通信部１６に対して、記憶部１２に蓄積された変換後デジタルデータ１２２を逐次取得させ（ステップＳ２０３）、変調した後、変換後デジタルデータ１２２を無線送信させる（ステップＳ２０４）。
【００３６】
無線通信部１６により、記憶部１２に蓄積された全ての変換後デジタルデータ１２２が送信された後、制御部１１は、無線通信部１６に通信処理を終了させ、記憶部１２に蓄積された全ての変換後デジタルデータ１２２を破棄し、無線通信部１６を「通信中」の状態から「待機中」の状態に切り替える（ステップＳ２０５）。そして、制御部１１は、デジタルデータ送信処理（Ｓ２００）を終了する。
【００３７】
（効果）
以上のように、第１の実施形態に係る検出装置１によれば、検出装置１がアンテナ１７から電波３を発生する時間帯は、検出端子１３から入力されるアナログ信号がＡ／Ｄ変換されたデジタルデータの測定値（電圧値）が記憶部１２に蓄積されない。つまり、このアンテナ１７から電波３を発生する時間帯のデータが測定装置２に送信されない。したがって、被測定物である電子回路や測定されるアナログ信号がアンテナ１７から発生する電磁波の影響を受けたとしても、アンテナ１７から電波３を発生する時間帯の測定値が、測定装置２の測定表示部２６に表示される測定値に反映されることはない。このように、測定表示部２６には被測定物の正しい測定値が表示される。
また、本発明の検出装置１に取り替えるだけで、従来の無線通信を行う測定装置２を用いて測定することができる。
【００３８】
≪第２の実施形態≫
第２の実施形態に係る発明について、図６及び図７を用いて説明する。
第２の実施形態に係る測定システム１００Ａ（不図示）は、無線通信で新たな設定情報送信し、検出装置１の記憶部１２に記憶された設定情報１２１と、測定装置２の記憶部２２に記憶された設定情報２２１とを、新たな設定情報で書き換えるというものである。
この第２の実施形態に係る測定システム１００Ａ（不図示）は、第１の実施形態に係る測定システム１００と同様に、検出装置１Ａ（図６）と、測定装置２Ａ（図７）とを備え、さらに、外部装置３０（図６、図７）を備える。ここで、第１の実施形態に係る測定システム１００と同様に、検出装置１Ａと測定装置２Ａとは互いに無線で通信可能に接続される。そして、外部装置３０は、検出装置１Ａと測定装置２Ａとに無線で通信可能に接続される。
【００３９】
［外部装置３０］
外部装置３０は、新たな設定情報を無線送信する装置（設定情報送信装置）であり、例えば、無線通信機能を有するコンピュータでよい。この外部装置３０は、不図示の入力部を介して利用者が入力したパラメータを設定情報１２１、設定情報２２１として取得する。そして、無線通信機能を使って、設定情報１２１（図６）を検出装置１Ａ宛てに無線送信し、設定情報２２１（図７）を測定装置２Ａ宛てに無線送信する。
【００４０】
［検出装置１Ａ］
検出装置１Ａは、制御部１１Ａと、記憶部１２と、検出端子１３と、信号処理部１４と、ＡＤコンバータ１５と、無線通信部１６Ａとを備える。ここで、第１の実施形態に係る検出装置１と同じ符号の構成については、同様の処理を行うため説明を省略する。
【００４１】
（無線通信部１６Ａ）
無線通信部１６Ａは、アンテナ１７を介して、測定装置２Ａと無線通信を行うと共に、外部装置３０と無線通信を行い、外部装置３０から受信した設定情報１２１を記憶部１２に記憶（更新）させる。
【００４２】
［測定装置２Ａ］
測定装置２Ａは、制御部２１Ａと、記憶部２２と、無線通信部２３Ａと、ＤＡコンバータ２４と、信号処理部２５と、測定表示部２６と、アンテナ２７とを備える。ここで、第１の実施形態に係る測定装置２と同じ符号の構成については、同様の処理を行うため説明を省略する。
【００４３】
（無線通信部２３Ａ）
無線通信部２３Ａは、アンテナ２７を介して、検出装置１Ａと無線通信を行うと共に、外部装置３０と無線通信を行い、外部装置３０から受信した設定情報２２１を記憶部２２に記録（更新）させる。
【００４４】
（効果）
以上のように、外部装置３０を備えることで、検出装置１Ａの設定情報１２１と、測定装置２Ａの設定情報２２１との双方の各種パラメータを設定することができ、無線通信で更新することができる。
また、ＡＤコンバータ１５とＤＡコンバータ２４とのサンプリング周波数や、信号処理部１４と信号処理部２５とのアンプ・フィルタの帯域等の、設定情報１２１と設定情報２２１とが互いが干渉する設定項目についての設定が容易になる。例えば、干渉する設定項目同士を表１に示すように対応付けておくことで、設定情報１２１を変更するだけで、自動的に設定情報２２１が設定されるようにしてもよい。これにより、誤設定を防止することができる。
また、検出装置１Ａにはなく測定装置２Ａにしかない、すなわち干渉しない設定項目も、外部装置３０で設定できるようにしてもよい。これにより、設定作業が容易になる。
【００４５】
【表１】
2014139548.tif 000003
【００４６】
≪第３の実施形態≫
第３の実施形態に係る発明について、図８を用いて説明する。
第３の実施形態に係る発明は、自動取引装置４（ＡＴＭ）が備える紙葉類鑑別装置４８に第２の実施形態に係る検出装置１Ａを設け、主制御部４９に測定装置２Ａの無線通信部２３Ａ、制御部２１Ａ、及び外部装置３０を設けたものである。
まず、ＡＴＭ４について説明する。
【００４７】
［自動取引装置（ＡＴＭ）４］
ＡＴＭ４は、筐体４１の内部に、入出金口４２、一括カセット４３、リジェクトカセット４４、金種別金庫４５、搬送路４６、搬送ローラ４７、紙葉類鑑別装置４８、及び主制御部４９を有している。
【００４８】
入出金口４２は、紙葉類としての紙幣が投入及び放出される接客部である。
一括カセット４３は、ＡＴＭ４に対して紙幣を補充したり、回収したりするための収納庫である。
リジェクトカセット４４は、再使用が不能なリジェクト紙幣を保管するための収納庫である。ＡＴＭ４は、入金時や出金時に、紙葉類鑑別装置４８によって、再使用が不能であると鑑別されたリジェクト紙幣を、リジェクトカセット４４に収納する。
【００４９】
金種別金庫４５は、一万円券、五千円券、千円券等の金種別に紙幣を収納する収納庫である。
搬送路４６は、紙幣が搬送される通路である。
搬送ローラ４７は、紙幣を搬送する搬送手段である。
紙葉類鑑別装置４８は、紙幣の真贋や、金種、汚損の度合い等を鑑別する鑑別装置である。紙葉類鑑別装置４８は、紙幣から紙葉類情報（金種を判別可能な判別情報を含む）を取得する、例えば、厚みセンサ、光学センサ、及び磁気センサ（不図示）等の各種センサ（検出手段）を有している。
【００５０】
光学センサは、紙葉類情報として、紙幣の先頭位置情報や紙幣の模様情報等を取得するセンサである。光学センサは、発光側センサ及び受光側センサの２つのセンサによって構成されている。光学センサは、発光側センサが搬送路に向けて出射した光を受光側センサで検知して、搬送される紙幣による光の遮断や反射光等に応じて、紙幣の先頭位置情報や紙幣の模様情報等を取得する。
【００５１】
磁気センサは、紙葉類情報として、紙幣の磁気記録情報を取得するセンサであり、磁気抵抗素子を使用して磁界強度を検出する。磁気センサは、搬送される紙幣に書き込まれた磁気記録情報を読み取ることによって、紙幣の磁気記録情報を取得する。
【００５２】
厚みセンサは、紙葉類情報として、紙幣の厚み情報を取得するセンサである。厚みセンサは、搬送路を構成する、対向して配置された２つのフレームに、互いに対向して配置された２つのローラと、２つのローラの一方を他方に押し付ける押圧用スプリングと、一方のローラの変位量を検知する変位センサとを有する構成となっている。厚みセンサは、変位センサが、一方のローラの変位量を検知することによって、紙幣の厚み情報を取得する。
【００５３】
紙葉類鑑別装置４８は、第２の実施形態に係る検出装置１Ａを備え、磁気センサ（特に磁気抵抗を測定するオペアンプの出力端子）が検出端子１３に該当する。以下、便宜上、紙葉類鑑別装置４８が備える検出装置を、検出装置１Ｂとして説明する。
【００５４】
（１）利用者により操作されてＡＴＭ４の入出金口４２に紙幣（紙幣束）が入金される。この紙幣束のうちの１枚が搬送ローラ４７により搬送路４６に沿って紙葉類鑑別装置４８に搬送される。紙葉類鑑別装置４８は、厚みセンサ、光学センサ、及び磁気センサ（検出端子１３）で搬送された１枚目の紙幣を読み取る。その後、記憶部１２に変換後デジタルデータ１２２が逐次蓄積される。
【００５５】
（２）２枚目の紙幣が紙葉類鑑別装置４８に搬送されるまでの間に、記憶部１２に蓄積された１枚目の紙幣の変換後デジタルデータ１２２を一括して無線送信する。
（３）主制御部４９は、無線を受信して、受信データを復調し、厚みセンサ、光学センサ、及び磁気センサの測定結果（磁気記録情報）を取得する。
【００５６】
（４）主制御部４９は、測定結果である磁気センサが取得した紙幣の磁気記録情報と、厚みセンサが取得した紙幣の厚み情報と、光学センサが取得した紙幣の先頭位置情報や紙幣の模様情報等とを含む、紙葉類鑑別装置４８が備える各種センサが取得した紙葉類情報に基づいて、１枚目の紙幣の金種や真贋を判断する。この判断結果に基づいて１枚目の紙幣の搬送先を決定し、搬送先へ紙幣を搬送する。そして、引き続き、２枚目の紙幣が紙葉類鑑別装置４８に搬送される。
【００５７】
このとき、検出装置１Ａの制御部１１Ａは、直前に搬送された１枚目の紙幣から磁気センサが磁気記録情報を読み取り後、次の２枚目の紙幣が磁気センサに搬送されるまでの間に、無線通信部１６に無線送信を実行させ、無線送信を実行中は、記憶部１２に変換後デジタルデータ１２２を蓄積させない。
【００５８】
（５）以降、入出金口４２に投入された全ての紙幣についての金種や真贋が主制御部４９により判断されると、すなわち、入出金口４２内の紙幣がなくなった（０枚）ときに全ての処理を終了する。
以上の処理により、センサのアナログ値に影響を与えることなく、紙葉類鑑別装置４８から主制御部４９まで検出値を無線送信することができる。このため、センサ用の配線が不要になる。
【００５９】
≪間欠受信を行う無線通信方式≫
ACK/NACKのメッセージ送信を定期的に行う、つまり間欠受信を行う無線通信方式を用いる場合について、図２を用いて説明する。
この場合の検出装置１が備える制御部１１の通信制御機能は、無線通信部１６を制御して測定装置２とのデータの送受信を行う機能だけでなく、この測定装置２との間で行われる、ACK/NACKのメッセージの送受信タイミングを決める機能をさらに有する。すなわち、検出装置１が測定装置２との間で行う無線通信を制御する。
これにより、制御部１１は、測定装置２から送信されるデータ受信タイミングが来る前に、通信時蓄積制御機能を実行することで、無線通信部１６が無線通信をしている間に測定したアナログ信号を、変換後デジタルデータ１２２として記憶部１２に蓄積されないようにすることができる。
【００６０】
また、制御部１１は、測定装置２との間で行われる送受信タイミングを決めることができるため、何の前触れもなく測定装置２からデータが送信されてしまったがために、そのデータを受信中に測定したアナログ信号を、変換後デジタルデータ１２２として記憶部１２に蓄積されないようにすることができる。
【００６１】
ここで、制御部１１は、例えば、次のように、送受信タイミングを決定すればよい。制御部１１は、測定装置２との間で無線通信する時間帯Ｔ１を設定する。そして、制御部１１は、現在時刻が前回設定した時間帯Ｔ０の範囲になったときに、先ほど設定した時間帯Ｔ１の情報を、変換後デジタルデータ１２２と共に、無線通信部１６に測定装置２へ送信させる。これにより、制御部１１は、測定装置２と互いに無線通信する時間帯Ｔ１を共有することができる。
その後、制御部１１は、現在時刻が時間帯Ｔ１の範囲になったときに、次に無線通信する時間帯Ｔ２の情報を、変換後デジタルデータ１２２と共に、無線通信部１６に測定装置２へ送信させる。以上により、測定装置２との間で無線通信する時間帯が事前に分かるため、制御部１１の通信時蓄積制御機能は、その時間帯に測定したアナログ信号を、変換後デジタルデータ１２２として記憶部１２に蓄積させないようにすることができる。
【００６２】
また、制御部１１は、例えば、次のように、測定装置２からの受信タイミングのみを決定してもよい。制御部１１は、測定装置２から送信されるデータを無線受信する時刻ｔを設定し、無線通信部１６にこの時刻ｔの情報を測定装置２へ送信させる。これにより、制御部１１は、測定装置２にデータを送信してよい時刻ｔを通知することができる。また、このとき、無線通信部１６が無線通信をしている間（通信中）となるため、制御部１１の通信時蓄積制御機能は、この通信中に測定したアナログ信号を、変換後デジタルデータ１２２として記憶部１２に蓄積させない。
その後、現在時刻が時刻ｔとなったときに、これから無線通信部１６が無線通信を行うことが分かっているため、制御部１１の通信時蓄積制御機能は、この時刻ｔ以降に測定したアナログ信号を、変換後デジタルデータ１２２として記憶部１２に蓄積させない。
以上により、測定装置２から送信されるデータを無線受信する時刻が事前に分かるため、制御部１１の通信時蓄積制御機能は、その時刻以降で測定したアナログ信号を、変換後デジタルデータ１２２として記憶部１２に蓄積させないようにすることができる。
【００６３】
以上、本発明の実施形態について説明したが、本発明は前記した実施形態に限定されず、適宜変更して実施することが可能である。
【００６４】
第１の実施形態において、記憶部１２を備えることで、測定時間と伝送時間を分離することを示したが、極めて短時間で接点の電圧を測定してディジタル化し、それを送信する際には測定を停止する構成も可能である。
【００６５】
また、検出装置１の制御部１１は、無線通信部１６を介して、測定装置２から無線受信したデータから、測定開始のトリガ信号を取得したとき、その無線通信の終了後から、検出装置１全体を制御して、被測定物の電圧の検出を開始する構成にしてもよい。
【００６６】
第２の実施形態において、測定システム１００Ａは、検出装置１と測定装置２とは別の独立した装置として、外部装置３０を備え、その外部装置３０から設定情報１２１及び設定情報２２１が無線送信されるという構成にした。
ここで、検出装置１（制御部１１の通信制御機能）が、記憶部１２に記憶された測定装置２側の設定情報２２１を、測定装置２へ無線送信する構成としてもよい。また、逆に、測定装置２（制御部２１の通信制御機能）が、記憶部２２に記憶された検出装置１側の設定情報１２１を、検出装置１へ無線送信する構成としてもよい。
【００６７】
また、オシロスコープを例に測定装置２の説明を行ったが、測定装置２は、ロジックアナライザ、スペクトルアナライザ、周波数カウンタなど電気信号を測定する測定器であればよい。
【００６８】
また、第３の実施形態において説明したように、検出装置１は、センサネットワークの無線部や、ＡＴＭ４などのメカトロ機器におけるセンサ部分の配線の無線化など、センサ回路を検出端子１３として用いることで、センサ回路（検出端子１３）にて電波３（電磁波）が干渉して測定値に誤差が生じてしまうことを回避することができる。なお、検出装置１は、隣接するセンサ回路に対する電磁波の影響を回避するため、ＡＴＭ４の主制御部４９（メインＣＰＵ）からの指示で、その隣接するセンサ回路が動作中に無線送信を行わない構成にしてもよい。
【００６９】
また、検出装置１は内部に時計部（不図示）を備える構成であってもよい。この場合、制御部１１が時計部から時刻を取得する。
制御部１１は、信号処理部１４が検出端子１３からアナログ信号を取得したときに、時計部から時刻（検出時刻）を取得し、ＡＤコンバータ１５を制御して、そのアナログ信号がＡ／Ｄ変換された変換後デジタルデータ１２２を、検出時刻と関連付けて記憶部１２に蓄積させる。そして、制御部１１は、無線通信部１６が送受信を行った時間帯に、検出端子１３が取得した時刻のアナログ信号に係る全ての変換後デジタルデータ１２２を、検出時刻に基づき記憶部１２から削除する。これにより、制御部１１は、無線通信部１６が無線通信をしている間に測定したアナログ信号を、変換後デジタルデータ１２２として記憶部１２に蓄積させないようにすることができる。
この検出時刻は、検出端子１３がアナログ信号を取得したタイミングがわかる時刻であればよく、信号処理部１４がアナログ信号を信号処理したときの時刻であってもよいし、ＡＤコンバータ１５が信号処理後のアナログ信号をＡ／Ｄ変換したときの時刻であってもよい。
【００７０】
また、ステップＳ２０４（図５）の処理において、全ての変換後デジタルデータ１２２を送信する必要はなく、所定量を送信してもよいし、所定時間分を送信してもよい。
【００７１】
また、第２の実施形態において、外部装置３０は、検出装置１Ａと、測定装置２Ａと無線で通信可能に接続されているが、有線で通信可能に接続されてもよい。この場合、検出装置１Ａと、測定装置２Ａとには、有線で通信可能なように有線通信部を備えればよい。
【００７２】
ここで、検出装置１（１Ａ，１Ｂ）は、不図示の電池を内蔵して、その電池に蓄電された電気を動力源とする。この電池は、コンデンサや二次電池であればよい。また、太陽電池であってもよい。
また、検出装置１（１Ａ，１Ｂ）は、無線で電力が供給されて電池に電気が蓄積されるようにしてもよい。この場合、検出装置１（１Ａ，１Ｂ）は、例えばＲＦＩＤを備え、ＲＦＩＤがアナログ信号（電気信号）を電気に変えて、電池に蓄積する構成にすればよい。しかし、ＲＦＩＤが無線で電力を供給する場合、電波３を受信することで、ＲＦＩＤが備えるアンテナにて電磁波が発生する。そのため、無線で電力が供給される期間において制御部１１は通信時蓄積制御機能を実行する。これにより、制御部１１は、無線で電力が供給される期間に測定したアナログ信号を、変換後デジタルデータ１２２として記憶部１２に蓄積されないようにすることができる。
【符号の説明】
【００７３】
１      検出装置
２      測定装置
３      電波
４      自動取引装置（ＡＴＭ）
１１    制御部（検出側制御部）
１２    記憶部
１３    検出端子
１４    信号処理部
１５    ＡＤコンバータ
１６    無線通信部
１７    アンテナ
２１    制御部（測定側制御部）
２２    記憶部
２３    無線通信部
２４    ＤＡコンバータ
２５    信号処理部
２６    測定表示部
２７    アンテナ
３０    外部装置
４１    筐体
４２    入出金口
４３    一括カセット
４４    リジェクトカセット
４５    金種別金庫
４６    搬送路
４７    搬送ローラ
４８    紙葉類鑑別装置
４９    主制御部（判別装置）
１００  測定システム
１２１  設定情報
１２２  変換後デジタルデータ
２２１  設定情報
【図１】
2014139548.tif 000004
【図２】
2014139548.tif 000005
【図３】
2014139548.tif 000006
【図４】
2014139548.tif 000007
【図５】
2014139548.tif 000008
【図６】
2014139548.tif 000009
【図７】
2014139548.tif 000010
【図８】
2014139548.tif 000011